(57)【要約】【課題】外部機器の状態に応じて適切に動作を制御することができる動作制御装置を提供することである。【解決手段】動作制御装置は、記憶手段と、接続手段と、検出手段と、制御手段とを備える。前記記憶手段は、動作電力を消費する動作状態より低い電力を消費する現在の待機状態を記憶する。前記接続手段は、外部機器と接続する。前記検出手段は、前記外部機器の起動及び停止を検出する。前記制御手段は、前記外部機器の起動検出に応じて前記待機状態を前記動作状態へ変更し、前記外部機器の停止検出に応じて前記動作状態を前記待機状態へ戻す。【選択図】図８
2013016916.tif 000002
【特許請求の範囲】
【請求項１】
動作電力を消費する動作状態より低い電力を消費する現在の待機状態を記憶する記憶手段と、
外部機器と接続する接続手段と、
前記外部機器の起動及び停止を検出する検出手段と、
前記外部機器の起動検出に応じて前記待機状態を前記動作状態へ変更し、前記外部機器の停止検出に応じて前記動作状態を前記待機状態へ戻す制御手段と、
を備えた動作制御装置。
【請求項２】
前記記憶手段は、前記待機状態から前記動作状態へ移行に対応し、前記記憶した前記待機状態に替えて現在の前記動作状態を記憶し、
前記制御手段は、前記外部機器の起動検出に応じて前記動作状態を継続し、前記外部機器の停止検出に応じても前記動作状態を継続する請求項１記載の動作制御装置。
【請求項３】
前記記憶手段は、複数の信号入力部のうちの第１の信号入力部を選択した第１の入力選択状態を記憶し、
前記制御手段は、前記外部機器の起動検出に応じて前記第１の入力選択状態を、前記複数の信号入力部のうちの第２の信号入力部を選択した第２の入力選択状態へ変更し、前記外部機器の停止検出に応じて前記第２の入力選択状態を前記第１の入力選択状態へ戻す請求項１又は２記載の動作制御装置。
【請求項４】
前記記憶手段は、前記第１の入力選択状態を記憶し、さらに前記第１の信号入力部からの入力信号に基づく第１のチャンネル信号を選択した第１のチャンネル信号選択状態を記憶し、
前記制御手段は、前記外部機器の停止検出に応じて前記第２の入力選択状態を前記第１の入力選択状態へ戻し、さらに前記第１のチャンネル信号選択状態へ戻す請求項３記載の動作制御装置。
【請求項５】
前記制御手段は、前記外部機器の起動検出に応じて前記第１の信号入力部からの入力信号に基づく第１のチャンネル信号の記録を開始し、前記外部機器の停止検出に応じて前記第１のチャンネル信号の記録を停止する請求項３又は４記載の動作制御装置。
【請求項６】
前記制御手段は、前記外部機器の停止検出に応じて、記録された前記第１のチャンネル信号の再生を開始する請求項５記載の動作制御装置。
【請求項７】
前記記憶手段は、現在の第１の音量を記憶し、
前記制御手段は、前記外部機器の起動検出に応じて前記第１の音量を第２の音量へ変更し、前記外部機器の停止検出に応じて前記第２の音量を前記第１の音量へ戻す請求項１乃至６の何れか１項記載の動作制御装置。
【請求項８】
前記記憶手段は、現在の第１の画質を記憶し、
前記制御手段は、前記外部機器の起動検出に応じて前記第１の画質を第２の画質へ変更し、前記外部機器の停止検出に応じて前記第２の画質を前記第１の画質へ戻す請求項１乃至７の何れか１項記載の動作制御装置。
【請求項９】
放送信号を受信する受信手段と、
前記放送信号から指定チャンネル信号を選択する選択手段と、
前記指定チャンネル信号に基づく第１の映像を表示する表示手段と、
を備え、
前記接続手段は、前記外部機器と接続し、前記外部機器からの第２の映像を入力し、
前記制御手段は、前記外部機器の起動検出に応じて前記表示手段による前記第１の映像の表示を前記第２の映像の表示へ切り換える請求項１乃至８の何れか１項記載の動作制御装置。
【請求項１０】
動作電力を消費する動作状態より低い電力を消費する現在の待機状態を記憶し、
接続された外部機器の起動検出に応じて前記待機状態を前記動作状態へ変更し、前記外部機器の停止検出に応じて前記動作状態を前記待機状態へ戻す動作制御方法。
【請求項１１】
前記待機状態から前記動作状態へ移行に対応し、前記記憶した前記待機状態に替えて現在の前記動作状態を記憶し、
前記外部機器の起動検出に応じて前記動作状態を継続し、前記外部機器の停止検出に応じても前記動作状態を継続する請求項１０記載の動作制御方法。
【請求項１２】
複数の信号入力部のうちの第１の信号入力部を選択した第１の入力選択状態を記憶し、
前記外部機器の起動検出に応じて前記第１の入力選択状態を、前記複数の信号入力部のうちの第２の信号入力部を選択した第２の入力選択状態へ変更し、前記外部機器の停止検出に応じて前記第２の入力選択状態を前記第１の入力選択状態へ戻す請求項１０又は１１記載の動作制御方法。
【請求項１３】
前記第１の入力選択状態を記憶し、さらに前記第１の信号入力部からの入力信号に基づく第１のチャンネル信号を選択した第１のチャンネル信号選択状態を記憶し、
前記外部機器の停止検出に応じて前記第２の入力選択状態を前記第１の入力選択状態へ戻し、さらに前記第１のチャンネル信号選択状態へ戻す請求項１２記載の動作制御方法。
【請求項１４】
前記外部機器の起動検出に応じて前記第１の信号入力部からの入力信号に基づく第１のチャンネル信号の記録を開始し、前記外部機器の停止検出に応じて前記第１のチャンネル信号の記録を停止する請求項１２又は１３記載の動作制御方法。
【請求項１５】
前記外部機器の停止検出に応じて、記録された前記第１のチャンネル信号の再生を開始する請求項１４記載の動作制御方法。
【請求項１６】
現在の第１の音量を記憶し、
前記外部機器の起動検出に応じて前記第１の音量を第２の音量へ変更し、前記外部機器の停止検出に応じて前記第２の音量を前記第１の音量へ戻す請求項１０乃至１５の何れか１項記載の動作制御方法。
【請求項１７】
現在の第１の画質を記憶し、
前記外部機器の起動検出に応じて前記第１の画質を第２の画質へ変更し、前記外部機器の停止検出に応じて前記第２の画質を前記第１の画質へ戻す請求項１０乃至１６の何れか１項記載の動作制御方法。
【請求項１８】
放送信号を受信し、
前記放送信号から指定チャンネル信号を選択し、
前記指定チャンネル信号に基づく第１の映像を表示し、
前記外部機器の起動検出に応じて、前記第１の映像の表示を前記外部機器からの第２の映像の表示へ切り換える請求項１０乃至１７の何れか１項記載の動作制御方法。
【発明の詳細な説明】
【技術分野】
【０００１】
本発明の実施形態は、動作制御装置及び動作制御方法に関する。
【背景技術】
【０００２】
近年、外部入出力インターフェースを搭載したデジタル機器として、例えば、デジタルＴＶ、ＤＶＤプレーヤー、ＤＶＤレコーダー、ＢＤ（Blu-ray）（登録商標）プレーヤー、ＢＤレコーダ、及びゲーム機等が普及している。外部入出力インターフェースとして、例えば、ＨＤＭＩ（High Definition Multimedia Interface）（登録商標）が知られている。
【０００３】
ＨＤＭＩは、映像、音声を非圧縮で転送することができる。また、ＨＤＭＩ−ＣＥＣ（Consumer Electronics Control）準拠と謳った機器同士、例えばデジタルＴＶとＤＶＤレコーダーとを接続すると、ＨＤＭＩ−ＣＥＣ機能により、デジタルＴＶのリモートコントローラを使用して、デジタルＴＶに接続されたＤＶＤレコーダーを操作することができる。
【先行技術文献】
【特許文献】
【０００４】
【特許文献１】特開２００８−１６６８９８号公報
【発明の概要】
【発明が解決しようとする課題】
【０００５】
例えば、上記ＨＤＭＩを介して外部機器が接続されたデジタルＴＶは、外部機器からの映像信号を出力（表示）することができる。デジタルＴＶが、外部機器からの映像信号を出力するためには、外部機器が起動し、デジタルＴＶも起動している必要がある。従って、ユーザは、デジタルＴＶで外部機器からの映像信号を楽しむためには、例えば、停止中の外部機器を操作して外部機器を起動し、停止中のデジタルＴＶを操作してデジタルＴＶも起動する。
【０００６】
例えば、ユーザは、デジタルＴＶにより外部機器からの映像を楽しんだ後、外部機器を操作し外部機器を待機状態へ移行させ、デジタルＴＶを操作しデジタルＴＶを初期状態へ移行させる。ここで言う初期状態とは、外部機器からの映像を楽しむ前のデジタルＴＶの状態である。つまり、デジタルＴＶの初期状態が待機状態であれば、ユーザは、外部機器からの映像を楽しんだ後、デジタルＴＶを操作しデジタルＴＶを待機状態（電源オフ状態）へ移行させたい。また、デジタルＴＶの初期状態が動作状態であれば、ユーザは、外部機器からの映像を楽しんだ後、デジタルＴＶを操作しデジタルＴＶを動作状態（電源オン状態）へ移行させたい。ユーザは、自身の記憶を頼りに、デジタルＴＶを初期状態へ移行させる。
【０００７】
上記したような接続関係にある二つの機器を夫々操作するのは、ユーザにとって面倒である。例えば、上記したように、外部機器からの映像をデジタルＴＶで楽しむためには、外部機器及びデジタルＴＶの両者を起動するための操作が必要であるし、また、外部機器からの映像をデジタルＴＶで楽しんだ後には、外部機器を停止するための操作が必要であるし、デジタルＴＶを初期状態に戻したい場合にはデジタルＴＶを初期状態へ戻すための操作が必要である。上記操作は、ユーザにとって面倒である。
【０００８】
本発明が解決しようとする課題は、外部機器の状態に応じて適切に動作を制御することができる動作制御装置及び動作制御方法を提供することである。
【課題を解決するための手段】
【０００９】
実施形態の動作制御装置は、記憶手段と、接続手段と、検出手段と、制御手段とを備える。前記記憶手段は、動作電力を消費する動作状態より低い電力を消費する現在の待機状態を記憶する。前記接続手段は、外部機器と接続する。前記検出手段は、前記外部機器の起動及び停止を検出する。前記制御手段は、前記外部機器の起動検出に応じて前記待機状態を前記動作状態へ変更し、前記外部機器の停止検出に応じて前記動作状態を前記待機状態へ戻す。
【図面の簡単な説明】
【００１０】
【図１】各実施形態に係るテレビジョン放送受信装置の構成の一例を示す図である。
【図２】テレビジョン放送受信装置とテレビジョン放送受信装置に接続された外部装置とが夫々のリモートコントローラにより操作される様子の一例を示す図である。
【図３】テレビジョン放送受信装置とゲーム機等の外部接続機器とがＨＤＭＩ等の外部入出力インターフェースを介して接続された状態の一例を示す図である。
【図４】外部接続機器に接続されたセンサーバーからの信号検出を利用した外部接続機器の起動又は停止状態の検出の一例を説明するための図である。
【図５】センサーバーを備えたテレビジョン放送受信装置の一例を示す図である。
【図６】大型のテレビジョン放送受信装置又は小型のテレビジョン放送受信装置の上部又は下部等にセンサーバーを配置した様子の一例を示す図である。
【図７】センサーバーを備えた大型のテレビジョン放送受信装置又は小型のテレビジョン放送受信装置の一例を示す図である。
【図８】起動検出に基づく動作制御の一例を示すフローチャートである。
【図９】停止検出に基づく動作制御の一例を示すフローチャートである。
【発明を実施するための形態】
【００１１】
以下、各実施形態について図面を参照して説明する。
【００１２】
図１は、各実施形態に係るテレビジョン放送受信装置の構成の一例を示す図である。各実施形態では、動作制御装置の一例としてディスプレイ１１４を備えたテレビジョン放送受信装置１１１について説明するが、動作制御装置は、ディスプレイ１１４を構成要件から除外してもよい。例えば、各実施形態で説明する動作制御装置が、ＤＶＤ記録再生装置、ＢＤ記録再生装置、又はＨＤＤ記録再生装置等の映像処理装置である場合には、動作制御装置は、ディスプレイ１１４を構成要件として含まない。
【００１３】
例えば、テレビジョン放送受信装置１１１は、ディスプレイ１１４、スピーカ１１５、操作モジュール１１６、受光モジュール１１８、ＨＤＤ１２０、放送信号入力端子２４４，２５０、出力端子２５９、２６０、チューナ２４５，２５１、ＰＳＫ（Phase Shift Keying）復調器２４６、ＯＦＤＭ（Orthogonal Frequency Division Multiplexing）復調器２５２、ＴＳ（Transport Stream)復号器２４７，２５３、信号処理モジュール２４８、音声処理モジュール２５５、映像処理モジュール２５４、制御モジュール２６１、外部入出力インターフェース２６２、２６３等を備える。なお、放送信号入力端子２４４，２５０は、放送信号（映像信号含む）を入力する端子である。また、外部入出力インターフェース２６２、２６３は、外部接続機器１２１、１２２からの信号（映像信号、音声信号、及び制御信号等）を入力したり、外部接続機器１２１、１２２に対して信号（映像信号、音声信号、及び制御信号等）を出力するインターフェースである。例えば、外部入出力インターフェース２６２、２６３は、ＨＤＭＩであり、外部接続機器１２１、１２２は、ＤＶＤプレーヤー、ＤＶＤレコーダー、ＢＤプレーヤー、ＢＤレコーダ、及びゲーム機等の何れかである。なお、外部入出力インターフェース２６２、２６３は、アナログのビデオ入力等であってもよい。
【００１４】
制御モジュール２６１は、ＲＯＭ２６１ａ、ＲＡＭ２６１ｂ、不揮発性メモリ２６１ｃ、状態検出モジュール２６１ｅを備える。状態検出モジュール２６１ｅは、外部入出力インターフェース２６２、２６３からの信号に基づき、外部接続機器１２１、１２２の状態を検出する。例えば、状態検出モジュール２６１ｅは、外部接続機器１２１、１２２の起動、停止等を検出する。「起動」とは待機状態から動作状態へ移行することを指し、上記「停止」とは動作状態から待機状態へ移行することを指す。例えば、外部接続機器１２１、１２２は、待機状態において待機電力を消費し、動作状態において待機電力より高い動作電力を消費する。なお、待機状態を電源オフ状態、動作状態を電源オン状態とも称する。同様に、テレビジョン放送受信装置１１１も待機状態において待機電力を消費し、動作状態において待機電力より高い動作電力を消費する。なお、待機状態を電源オフ状態、動作状態を電源オン状態とも称する。
【００１５】
制御モジュール２６１は、状態検出に応じて各種動作を制御する。制御モジュール２６１による動作制御については後に詳しく説明する。映像処理モジュール２５４は、表示情報に基づく映像を生成し、ディスプレイ１１４へ出力する。ディスプレイ１１４は、表示情報に基づく映像を表示する。
【００１６】
（第１の実施形態）
ＨＤＭＩ−ＣＥＣ通信を利用した制御について説明する。
【００１７】
図３は、テレビジョン放送受信装置１１１とゲーム機等の外部接続機器１２１とがＨＤＭＩ等の外部入出力インターフェース２６２を介して接続された状態の一例を示す図である。例えば、テレビジョン放送受信装置１１１とゲーム機等の外部接続機器１２１とはＨＤＭＩケーブルＣ１により接続される。
【００１８】
最初に、外部接続機器１２１の起動（電源オン）に対応したテレビジョン放送受信装置１１１の動作制御について説明する。
【００１９】
ユーザが、リモートコントローラ１２１ａ等を介して外部接続機器１２１に対して起動（電源オン）を指示すると、外部接続機器１２１は起動する。つまり、外部接続機器１２１は、待機状態（電源オフ状態）から起動状態（電源オン状態）へ移行する。さらに、外部接続機器１２１は、ＨＤＭＩ−ＣＥＣ通信により、起動（電源オン）をテレビジョン放送受信装置１１１へ通知する。
【００２０】
テレビジョン放送受信装置１１１は、外部入出力インターフェース２６２を介して、起動通知を受信し、状態検出モジュール２６１ｅは、起動通知に基づき外部接続機器１２１の起動を検出し、制御モジュール２６１は、起動検出に基づき動作を制御する。
【００２１】
図８は、起動検出に基づく動作制御の一例を示すフローチャートである。
【００２２】
テレビジョン放送受信装置１１１の不揮発性メモリ２６１ｃは、現在の状態（各種状態）を記憶する(ＳＴ１０１)。不揮発性メモリ２６１ｃは、外部接続機器１２１の起動検出のタイミングで、現在の状態を記憶してもよいし、起動検出のタイミングとは関係なく、常に最新の状態を記憶してもよい。
【００２３】
例えば、不揮発性メモリ２６１ｃは、待機状態ならば現在の状態として待機状態を記憶し、動作状態ならば現在の状態として動作状態を記憶する。
【００２４】
また、不揮発性メモリ２６１ｃは、複数の信号入力部（放送信号入力端子２４４、２５０、外部入出力インターフェース２６２、２６３）のうちの第１の信号入力部（例えば放送信号入力端子２４４）からの信号（例えば放送信号）を選択した第１の入力選択状態を記憶する。つまり、ユーザが、操作モジュール１１６又はリモートコントローラ１１７を介して第１の信号入力部（例えば放送信号入力端子２４４）からの入力信号（例えば放送信号）を選択した場合、不揮発性メモリ２６１ｃは、この入力信号の選択状態を記憶する。
【００２５】
さらに、不揮発性メモリ２６１ｃは、第１の信号入力部からの入力信号（例えば放送信号）に基づく第１のチャンネル信号を選択した第１のチャンネル信号選択状態を記憶する。つまり、ユーザが、操作モジュール１１６又はリモートコントローラ１１７を介して第１の信号入力部（例えば放送信号入力端子２４４）からの入力信号（例えば放送信号）に基づく第１のチャンネル信号を選択した場合、不揮発性メモリ２６１ｃは、この第１のチャンネル信号（ラストチャンネル）の選択状態を記憶する。
【００２６】
また、不揮発性メモリ２６１ｃは、現在設定されている第１の音量、第１の音質を記憶する。例えば、ユーザが、上記したように操作モジュール１１６又はリモートコントローラ１１７を介して、第１のチャンネル信号を選択し、さらに、操作モジュール１１６又はリモートコントローラ１１７を介して第１の音量、第１の音質を設定した場合、不揮発性メモリ２６１ｃは、この第１の音量、第１の音質を記憶する。
【００２７】
また、不揮発性メモリ２６１ｃは、現在設定されている第１の画質を記憶する。例えば、ユーザが、上記したように操作モジュール１１６又はリモートコントローラ１１７を介して、第１のチャンネル信号を選択し、さらに、操作モジュール１１６又はリモートコントローラ１１７を介して第１の画質を設定した場合、不揮発性メモリ２６１ｃは、この第１の画質を記憶する。
【００２８】
制御モジュール２６１は、現在の状態が待機状態（オフ状態）及び起動状態（オン状態）の何れに該当するかを確認し(ＳＴ１０２)、待機状態であれば(ＳＴ１０３、ＹＥＳ)、外部接続機器１２１からの起動通知に応じて（起動検出に応じて）、待機状態を前記動作状態へ変更する(ＳＴ１０４)。つまり、制御モジュール２６１は、動作電力の供給を要求し、動作電力の供給を受けて、動作状態へ移行させる。
【００２９】
さらに、制御モジュール２６１は、外部接続機器１２１からの起動通知に応じて（起動検出に応じて）、第１の信号入力部（例えば放送信号入力端子２４４）からの入力信号（例えば放送信号）の選択状態を第２の信号入力部（例えば外部入出力インターフェース２６２）からの入力信号の選択状態へ変更する。つまり、制御モジュール２６１は、入力を切り換えて、外部入出力インターフェース２６２からの入力信号を選択する(ＳＴ１０５)。
【００３０】
さらに、制御モジュール２６１は、外部接続機器１２１からの起動通知に応じて（起動検出に応じて）、現在設定されている第１の画質を外部入出力インターフェース２６２からの要求に応じた第２の画質へ変更する。つまり、制御モジュール２６１は、画質を切り換えて、外部接続機器１２１が要求する画質を選択する(ＳＴ１０６)。例えば、外部接続機器１２１がゲーム機の場合には、制御モジュール２６１は、予め設定されたゲーム用の画質（超低遅延接続など）に変更する。
【００３１】
さらに、制御モジュール２６１は、外部接続機器１２１からの起動通知に応じて（起動検出に応じて）、現在設定されている第１の音量、第１の音質を外部入出力インターフェース２６２からの要求に応じた第２の音量、第２の音質へ変更する。つまり、制御モジュール２６１は、音量を切り換えて、外部接続機器１２１が要求する音量、音質を選択する(ＳＴ１０７)。例えば、外部接続機器１２１がゲーム機の場合には、制御モジュール２６１は、予め設定されたゲーム用の音量、音質に変更する。
【００３２】
また、制御モジュール２６１が、起動状態であることを確認し(ＳＴ１０３、ＹＥＳ)、例えば、第１の信号入力部（例えば放送信号入力端子２４４）からの入力信号（例えば放送信号）に基づく第１のチャンネル信号が選択された状態であれば（第１のチャンネルの視聴中であれば）、選択中の第１のチャンネル信号に基づく番組の記録を制御する。
【００３３】
まず、制御モジュール２６１は、自動記録設定の有効又は無効を確認する(ＳＴ２０１)。制御モジュール２６１は、自動記録設定が有効であることを確認すると(ＳＴ２０２、ＹＥＳ)、続いて、ユーザに対して番組記録の必要性を確認する(ＳＴ２０３)。制御モジュール２６１は、番組記録の必要性を確認すると(ＳＴ２０４、ＹＥＳ)、選択中の第１のチャンネル信号に基づく番組の記録を開始する(ＳＴ２０５)。例えば、番組は、ＨＤＤ１２０に記録される。その後、入力切換(ＳＴ１０５)、画質切換(ＳＴ１０６)、音量切換（ＳＴ１０７）に移行する。
【００３４】
なお、上記した自動記録設定の確認及び番組記録の必要性の確認はオプションであり、省略することもできる。つまり、自動記録設定の確認及び番組記録の必要性の確認を省略して、番組を自動記録してもよい。
【００３５】
次に、外部接続機器１２１の停止（電源オフ）に対応したテレビジョン放送受信装置１１１の動作制御について説明する。
【００３６】
ユーザが、リモートコントローラ１２１ａ等を介して外部接続機器１２１に対して停止（電源オフ）を指示すると、外部接続機器１２１は停止する。つまり、外部接続機器１２１は、起動状態（電源オン状態）から待機状態（電源オフ状態）へ移行する。また、外部接続機器１２１は、ＨＤＭＩ−ＣＥＣ通信により、停止前に、停止（電源オフ）をテレビジョン放送受信装置１１１へ通知する。
【００３７】
テレビジョン放送受信装置１１１は、外部入出力インターフェース２６２を介して、停止通知を受信し、状態検出モジュール２６１ｅは、停止通知に基づき外部接続機器１２１の停止を検出し、制御モジュール２６１は、停止検出に基づき動作を制御する。
【００３８】
図９は、停止検出に基づく動作制御の一例を示すフローチャートである。
【００３９】
制御モジュール２６１は、停止検出に基づき、状態の変更を確認する(ＳＴ３０１)。つまり、制御モジュール２６１は、起動検出から停止検出の間に、ユーザ操作等に対応して状態がユーザの意志で変更されていないか否かを確認する。例えば、外部接続機器１２１の起動後に、ユーザが、テレビジョン放送受信装置１１１の入力を切り換えたり、選択チャンネルを変更したり、音量、音質を変更したり、画質を変更していないか確認する。例えば、入力が切り換えられている場合には、第２の音量、第２の音質、第２の画質等の設定は解除される。
【００４０】
テレビジョン放送受信装置１１１の状態が意図的に変更されていなければ(ＳＴ３０２、ＮＯ)、制御モジュール２６１は、不揮発性メモリ２６１ｃに記憶された情報に基づき、第２の信号入力部（例えば外部入出力インターフェース２６２）の選択状態を第１の信号入力部（例えば放送信号入力端子２４４）の選択状態へ戻し、さらに、第１のチャンネル信号（ラストチャンネル）の選択状態へ戻す(ＳＴ３０３)。
【００４１】
また、制御モジュール２６１は、不揮発性メモリ２６１ｃに記憶された情報に基づき、第２の画質の設定を第１の画質の設定へ戻す(ＳＴ３０４)。
【００４２】
また、制御モジュール２６１は、不揮発性メモリ２６１ｃに記憶された情報に基づき、第２の音量、第２の音質の設定を第１の音量、第１の音質の設定へ戻す(ＳＴ３０５)。
【００４３】
さらに、制御モジュール２６１は、外部接続機器からの起動通知を受けたときの状態が、待機状態であったか、動作状態であったかを確認する(ＳＴ３０６)。待機状態であったことを確認した場合(ＳＴ３０７、ＹＥＳ)、制御モジュール２６１は、待機状態に戻す(ＳＴ３０８)。
【００４４】
制御モジュール２６１は、起動状態であったことを確認し(ＳＴ３０７、ＮＯ)、自動番組記録の実施も確認し(ＳＴ４０１)(ＳＴ４０２、ＹＥＳ)、さらに、自動再生設定が有効であることを確認すると(ＳＴ４０３)(ＳＴ４０４、ＹＥＳ)、続いて、ユーザに対して番組再生の必要性を確認する(ＳＴ４０５)。制御モジュール２６１は、番組再生の必要性を確認すると(ＳＴ４０６、ＹＥＳ)、自動記録された番組の再生を開始する(ＳＴ４０７)。
【００４５】
なお、上記した自動再生設定の確認及び番組再生の必要性の確認はオプションであり、省略することもできる。つまり、自動再生設定の確認及び番組再生の必要性の確認を省略して、番組を自動再生してもよい。
【００４６】
本実施形態により、以下の作用効果が得られる。
【００４７】
（１）テレビジョン放送受信装置１１１は、外部接続機器１２１の起動を検出することができ、起動検出に応じた動作を制御することができる。例えば、ユーザが外部接続機器１２１によりゲーム等を始めると（外部接続機器１２１が起動すると）、テレビジョン放送受信装置１１１は、外部接続機器１２１の起動を検出し、必要となる処理を自動的に実行する。つまり、ユーザが操作をしなくても、テレビジョン放送受信装置１１１は、電源オン／入力切換／画質調整／音量調整／視聴中番組の記録などの動作を自動的に実行する。
【００４８】
また、テレビジョン放送受信装置１１１は、外部接続機器１２１の停止を検出することができ、停止検出に応じた動作を制御することができる。例えば、ユーザが外部接続機器１２１によるゲーム等を終了すると（外部接続機器１２１が停止すると）、テレビジョン放送受信装置１１１は、外部接続機器１２１の停止を検出し、必要となる処理を自動的に実行する。つまり、ユーザが操作をしなくても、テレビジョン放送受信装置１１１は、電源オフ／選局・入力切換／画質調整／音量調整／外部装置の起動前に視聴していた番組の再生などの動作を自動的に実行する。
【００４９】
（２）テレビジョン放送受信装置１１１は、ＨＤＭＩのＣＥＣ通信の利用により、外部接続機器１２１が接続されている外部入出力インターフェース２６２を自動的に特定することができる。このため、テレビジョン放送受信装置１１１は、外部接続機器１２１が接続されている外部入出力インターフェース２６２を登録しなくても、外部接続機器１２１の起動検出に応じて、外部入出力インターフェース２６２からの信号を選択することができる。
【００５０】
（第２の実施形態）
外部入出力インターフェース２６２、２６３からの信号の検出（信号の有無の変化検出）を利用した外部接続機器１２１、１２２の起動又は停止状態の検出について説明する。
【００５１】
例えば、ユーザが、リモートコントローラ１２１ａ等を介して外部接続機器１２１に対して起動（電源オン）を指示すると、外部接続機器１２１は起動し、外部接続機器１２１は映像信号を出力する。テレビジョン放送受信装置１１１の外部入出力インターフェース２６２は、外部接続機器１２１からの映像信号を入力する。
【００５２】
例えば、テレビジョン放送受信装置１１１は、予め、外部入出力インターフェース２６２を監視対象として登録し、状態検出モジュール２６１ｅは、監視対象として登録された外部入出力インターフェース２６２からの映像信号（映像信号有り）を検出し、この映像信号検出に基づき外部接続機器１２１の起動を検出する。
【００５３】
制御モジュール２６１は、外部接続機器１２１の起動検出に応じて、第１の実施形態で説明したように、各種動作を制御する。
【００５４】
また、ユーザが、リモートコントローラ１２１ａ等を介して外部接続機器１２１に対して停止（電源オフ）を指示すると、外部接続機器１２１は停止し、外部接続機器１２１は映像信号も停止する。テレビジョン放送受信装置１１１の外部入出力インターフェース２６２は、外部接続機器１２１からの映像信号を受け取らなくなる。状態検出モジュール２６１ｅは、監視対象として登録された外部入出力インターフェース２６２からの映像信号が途絶えたこと（映像信号無し）を検出し、映像信号の途絶え検出に基づき外部接続機器１２１の停止を検出する。
【００５５】
制御モジュール２６１は、外部接続機器１２１の停止検出に応じて、第１の実施形態で説明したように、各種動作を制御する。
【００５６】
本実施形態により、以下の作用効果が得られる。
【００５７】
（１）テレビジョン放送受信装置１１１は、外部接続機器１２１の起動を検出することができ、起動検出に応じた動作を制御することができる。例えば、ユーザが外部接続機器１２１によりゲーム等を始めると（外部接続機器１２１が起動すると）、テレビジョン放送受信装置１１１は、外部接続機器１２１の起動を検出し、必要となる処理を自動的に実行する。つまり、ユーザが操作をしなくても、テレビジョン放送受信装置１１１は、電源オン／入力切換／画質調整／音量調整／視聴中番組の記録などの動作を自動的に実行する。
【００５８】
また、テレビジョン放送受信装置１１１は、外部接続機器１２１の停止を検出することができ、停止検出に応じた動作を制御することができる。例えば、ユーザが外部接続機器１２１にによるゲーム等を終了すると（外部接続機器１２１が停止すると）、テレビジョン放送受信装置１１１は、外部接続機器１２１の停止を検出し、必要となる処理を自動的に実行する。つまり、ユーザが操作をしなくても、テレビジョン放送受信装置１１１は、電源オフ／選局・入力切換／画質調整／音量調整／外部装置の起動前に視聴していた番組の再生などの動作を自動的に実行する。
【００５９】
（２）テレビジョン放送受信装置１１１が、ＨＤＭＩのＣＥＣ通信を利用できない場合でも、コンポジットやコンポーネント信号の検出により、上記制御を実現することができる。
【００６０】
（第３の実施形態）
外部接続機器１２１のＬＥＤ等の表示器の変化の検出を利用した外部接続機器１２１、１２２の起動又は停止状態の検出について説明する。
【００６１】
例えば、テレビジョン放送受信装置１１１は、表示状態検出センサー２６４を備え、外部接続機器１２１は、ＬＥＤ等の表示器１２１ｂを備える。表示器１２１ｂは、外部接続機器１２１の起動に対応して点灯（発光）する。或いは、表示器１２１ｂは、外部接続機器１２１の停止に対応して第１の色で点灯（発光）し、外部接続機器１２１の起動に対応して第２の色で点灯（発光）する。表示状態検出センサー２６４は、表示器１２１ｂの点灯を検出することができる。或いは、表示状態検出センサー２６４は、表示器１２１ｂの点灯色（発光色）を検出することができる。
【００６２】
例えば、テレビジョン放送受信装置１１１は、予め、外部接続機器１２１を表示状態検出センサー２６４の監視対象として登録し、外部接続機器１２１と外部入出力インターフェース２６２との対応を登録する。
【００６３】
例えば、ユーザが、リモートコントローラ１２１ａ等を介して外部接続機器１２１に対して起動（電源オン）を指示すると、外部接続機器１２１は起動し、外部接続機器１２１は表示器１２１ｂを点灯させ又は表示器１２１を第１の色で点灯させ、外部接続機器１２１は映像信号を出力する。テレビジョン放送受信装置１１１の表示状態検出センサー２６４は、表示器１２１ｂの点灯を検出する（又は消灯から点灯への変化を検出する）。或いは表示状態検出センサー２６４は、表示器１２１の第１の色の点灯を検出する（又は第２の色から第１の色への点灯色変化を検出する）。状態検出モジュール２６１ｅは、表示状態検出センサー２６４による点灯検出に基づき、登録された外部接続機器１２１の起動を検出する。制御モジュール２６１は、外部接続機器１２１の起動検出に応じて、登録された外部入出力インターフェース２６２を選択し、第１の実施形態で説明したように、各種動作を制御する。
【００６４】
また、ユーザが、リモートコントローラ１２１ａ等を介して外部接続機器１２１に対して停止（電源オフ）を指示すると、外部接続機器１２１は停止し、外部接続機器１２１は表示器１２１ｂを消灯させ又は表示器１２１を第２の色で点灯させ、外部接続機器１２１は映像信号も停止する。テレビジョン放送受信装置１１１の表示状態検出センサー２６４は、表示器１２１ｂの消灯を検出する（又は点灯から消灯への変化を検出する）。或いは表示状態検出センサー２６４は、表示器１２１の第２の色の点灯を検出する（又は第１の色から第２の色への点灯色変化を検出する）。状態検出モジュール２６１ｅは、表示状態検出センサー２６４による消灯検出に基づき外部接続機器１２１の停止を検出し、外部入出力インターフェース２６２は、外部接続機器１２１からの映像信号を受け取らなくなる。制御モジュール２６１は、外部接続機器１２１の停止検出に応じて、第１の実施形態で説明したように、各種動作を制御する。
【００６５】
本実施形態により、以下の作用効果が得られる。
【００６６】
（１）テレビジョン放送受信装置１１１は、外部接続機器１２１の起動を検出することができ、起動検出に応じた動作を制御することができる。例えば、ユーザが外部接続機器１２１によりゲーム等を始めると（外部接続機器１２１が起動すると）、テレビジョン放送受信装置１１１は、外部接続機器１２１の起動を検出し、必要となる処理を自動的に実行する。つまり、ユーザが操作をしなくても、テレビジョン放送受信装置１１１は、電源オン／入力切換／画質調整／音量調整／視聴中番組の記録などの動作を自動的に実行する。
【００６７】
また、テレビジョン放送受信装置１１１は、外部接続機器１２１の停止を検出することができ、停止検出に応じた動作を制御することができる。例えば、ユーザが外部接続機器１２１にによるゲーム等を終了すると（外部接続機器１２１が停止すると）、テレビジョン放送受信装置１１１は、外部接続機器１２１の停止を検出し、必要となる処理を自動的に実行する。つまり、ユーザが操作をしなくても、テレビジョン放送受信装置１１１は、電源オフ／選局・入力切換／画質調整／音量調整／外部装置の起動前に視聴していた番組の再生などの動作を自動的に実行する。
【００６８】
（２）テレビジョン放送受信装置１１１が、ＨＤＭＩのＣＥＣ通信を利用できない場合でも、コンポジットやコンポーネント信号の検出により、上記制御を実現することができる。
【００６９】
（第４の実施形態）
外部接続機器１２１、１２２の電力消費量の変化の検出を利用した外部接続機器１２１、１２２の起動又は停止状態の検出について説明する。
【００７０】
例えば、テレビジョン放送受信装置１１１は、電力消費量センサー２６５を備える。電力消費量センサー２６５は、外部接続機器１２１の電力消費量の変化を検出することができる。例えば、電力消費量センサー２６５は、電力消費量が第１の電力消費閾値未満の状態から第２の電力消費閾値（＞第１の電力消費閾値）より高い値に変化したことを検出することができる。また、電力消費量センサー２６５は、電力消費量が第２の電力消費閾値より高い値から第１の電力消費閾値未満に変化したことを検出することができる。例えば、テレビジョン放送受信装置１１１は、予め、外部接続機器１２１を電力消費量センサー２６５の監視対象として登録し、外部接続機器１２１と外部入出力インターフェース２６２との対応を登録する。
【００７１】
例えば、ユーザが、リモートコントローラ１２１ａ等を介して外部接続機器１２１に対して起動（電源オン）を指示すると、外部接続機器１２１は起動し、外部接続機器１２１は待機電力消費状態から動作電力消費状態へ移行し、電力消費量が増加し、第２の電力消費閾値を超える。テレビジョン放送受信装置１１１の電力消費量センサー２６５は、第２の電力消費閾値を超えた電力消費量を検出する。状態検出モジュール２６１ｅは、電力消費量センサー２６５による第２の電力消費閾値を超えた電力消費量の検出に基づき、登録された外部接続機器１２１の起動を検出する。制御モジュール２６１は、外部接続機器１２１の起動検出に応じて、登録された外部入出力インターフェース２６２を選択し、第１の実施形態で説明したように、各種動作を制御する。
【００７２】
また、ユーザが、リモートコントローラ１２１ａ等を介して外部接続機器１２１に対して停止（電源オフ）を指示すると、外部接続機器１２１は停止し、外部接続機器１２１は動作電力消費状態から待機電力消費状態へ移行し、電力消費量が減少し、第１の電力消費閾値未満になる。テレビジョン放送受信装置１１１の電力消費量センサー２６５は、第１の電力消費閾値未満の電力消費量を検出する。状態検出モジュール２６１ｅは、電力消費量センサー２６５による第１の電力消費閾値未満の電力消費量の検出に基づき外部接続機器１２１の停止を検出する。制御モジュール２６１は、外部接続機器１２１の停止検出に応じて、第１の実施形態で説明したように、各種動作を制御する。
【００７３】
本実施形態により、以下の作用効果が得られる。
【００７４】
（１）テレビジョン放送受信装置１１１は、外部接続機器１２１の起動を検出することができ、起動検出に応じた動作を制御することができる。例えば、ユーザが外部接続機器１２１によりゲーム等を始めると（外部接続機器１２１が起動すると）、テレビジョン放送受信装置１１１は、外部接続機器１２１の起動を検出し、必要となる処理を自動的に実行する。つまり、ユーザが操作をしなくても、テレビジョン放送受信装置１１１は、電源オン／入力切換／画質調整／音量調整／視聴中番組の記録などの動作を自動的に実行する。
【００７５】
また、テレビジョン放送受信装置１１１は、外部接続機器１２１の停止を検出することができ、停止検出に応じた動作を制御することができる。例えば、ユーザが外部接続機器１２１にによるゲーム等を終了すると（外部接続機器１２１が停止すると）、テレビジョン放送受信装置１１１は、外部接続機器１２１の停止を検出し、必要となる処理を自動的に実行する。つまり、ユーザが操作をしなくても、テレビジョン放送受信装置１１１は、電源オフ／選局・入力切換／画質調整／音量調整／外部装置の起動前に視聴していた番組の再生などの動作を自動的に実行する。
【００７６】
（２）テレビジョン放送受信装置１１１が、ＨＤＭＩのＣＥＣ通信を利用できない場合でも、コンポジットやコンポーネント信号の検出により、上記制御を実現することができる。
【００７７】
（第５の実施形態）
外部接続機器１２１、１２２に対応するリモートコントローラからの信号検出を利用した外部接続機器１２１、１２２の起動又は停止状態の検出について説明する。
【００７８】
例えば、テレビジョン放送受信装置１１１は、受光モジュール２６６を備える。受光モジュール２６６は、外部接続機器１２１のリモートコントローラ１２１ａからの信号を検出することができる。例えば、テレビジョン放送受信装置１１１は、予め、外部接続機器１２１を監視対象として登録し、外部接続機器１２１と外部入出力インターフェース２６２との対応も登録する。なお、テレビジョン放送受信装置１１１の受光モジュール１１８が、受光モジュール２６６の役割を兼任する場合、テレビジョン放送受信装置１１１は、受光モジュール２６６を備えなくてもよい。また、リモートコントローラ１２１ａが無線信号を送信する場合には、テレビジョン放送受信装置１１１は受光モジュール２６６に替えて無線通信部を備え、無線通信部がリモートコントローラ１２１ａからの無線信号を受信する。
【００７９】
例えば、ユーザが、リモートコントローラ１２１ａ等を介して外部接続機器１２１に対して起動（電源オン）を指示すると、外部接続機器１２１は起動する。また、テレビジョン放送受信装置１１１の受光モジュール２６６は、リモートコントローラ１２１ａからの起動指示を受光し、制御モジュール２６１に対して起動指示を通知する。制御モジュール２６１の状態検出モジュール２６１ｅは、起動指示に基づき、登録された外部接続機器１２１の起動を検出する。制御モジュール２６１は、起動指示（起動検出）に応じて、登録された外部入出力インターフェース２６２を選択し、第１の実施形態で説明したように、各種動作を制御する。
【００８０】
また、ユーザが、リモートコントローラ１２１ａ等を介して外部接続機器１２１に対して停止（電源オフ）を指示すると、外部接続機器１２１は停止する。また、テレビジョン放送受信装置１１１の受光モジュール２６６は、リモートコントローラ１２１ａからの停止指示を受光し、制御モジュール２６１に対して停止指示を通知する。制御モジュール２６１の状態検出モジュール２６１ｅは、停止指示に基づき外部接続機器１２１の停止を検出する。制御モジュール２６１は、停止指示（停止検出）に応じて、第１の実施形態で説明したように、各種動作を制御する。
【００８１】
本実施形態により、以下の作用効果が得られる。
【００８２】
（１）テレビジョン放送受信装置１１１は、外部接続機器１２１の起動を検出することができ、起動検出に応じた動作を制御することができる。例えば、ユーザが外部接続機器１２１によりゲーム等を始めると（外部接続機器１２１が起動すると）、テレビジョン放送受信装置１１１は、外部接続機器１２１の起動を検出し、必要となる処理を自動的に実行する。つまり、ユーザが操作をしなくても、テレビジョン放送受信装置１１１は、電源オン／入力切換／画質調整／音量調整／視聴中番組の記録などの動作を自動的に実行する。
【００８３】
また、テレビジョン放送受信装置１１１は、外部接続機器１２１の停止を検出することができ、停止検出に応じた動作を制御することができる。例えば、ユーザが外部接続機器１２１にによるゲーム等を終了すると（外部接続機器１２１が停止すると）、テレビジョン放送受信装置１１１は、外部接続機器１２１の停止を検出し、必要となる処理を自動的に実行する。つまり、ユーザが操作をしなくても、テレビジョン放送受信装置１１１は、電源オフ／選局・入力切換／画質調整／音量調整／外部装置の起動前に視聴していた番組の再生などの動作を自動的に実行する。
【００８４】
（２）テレビジョン放送受信装置１１１が、ＨＤＭＩのＣＥＣ通信を利用できない場合でも、コンポジットやコンポーネント信号の検出により、上記制御を実現することができる。
【００８５】
（第６の実施形態）
図４に示すように、外部接続機器１２１に接続されたセンサーバー１２１ｃからの信号検出を利用した外部接続機器１２１、１２２の起動又は停止状態の検出について説明する。
【００８６】
例えば、テレビジョン放送受信装置１１１は、受光モジュール２６７を備える。受光モジュール２６７は、外部接続機器１２１のセンサーバー１２１ｃからの信号を検出することができる。例えば、テレビジョン放送受信装置１１１は、予め、外部接続機器１２１を監視対象として登録し、外部接続機器１２１と外部入出力インターフェース２６２との対応も登録する。なお、テレビジョン放送受信装置１１１の受光モジュール１１８が、受光モジュール２６７の役割を兼任する場合、テレビジョン放送受信装置１１１は、受光モジュール２６７を備えなくてもよい。また、センサーバー１２１ｃが無線信号を送信する場合には、テレビジョン放送受信装置１１１は受光モジュール２６７に替えて無線通信部を備え、無線通信部がセンサーバー１２１ｃからの無線信号を受信する。
【００８７】
例えば、ユーザが、リモートコントローラ１２１ａ等を介して外部接続機器１２１に対して起動（電源オン）を指示すると、外部接続機器１２１は起動し、センサーバー１２１ｃから信号が送信される。テレビジョン放送受信装置１１１の受光モジュール２６７は、センサーバー１２１ｃからの信号を受光し、制御モジュール２６１に対して信号受光を通知する。制御モジュール２６１の状態検出モジュール２６１ｅは、信号受光を検出し、登録された外部接続機器１２１の起動を検出する。制御モジュール２６１は、起動検出に応じて、登録された外部入出力インターフェース２６２を選択し、第１の実施形態で説明したように、各種動作を制御する。
【００８８】
また、ユーザが、リモートコントローラ１２１ａ等を介して外部接続機器１２１に対して停止（電源オフ）を指示すると、外部接続機器１２１は停止し、センサーバー１２１ｃからの信号も停止する。センサーバー１２１ａからの信号が途絶えると、テレビジョン放送受信装置１１１の受光モジュール２６７は、センサーバー１２１ｃからの信号を受光しなくなり、制御モジュール２６１に対して信号受光無しを通知する。制御モジュール２６１の状態検出モジュール２６１ｅは、信号受光無しを検出し、外部接続機器１２１の停止を検出する。制御モジュール２６１は、停止検出に応じて、第１の実施形態で説明したように、各種動作を制御する。
【００８９】
本実施形態により、以下の作用効果が得られる。
【００９０】
（１）テレビジョン放送受信装置１１１は、外部接続機器１２１の起動を検出することができ、起動検出に応じた動作を制御することができる。例えば、ユーザが外部接続機器１２１によりゲーム等を始めると（外部接続機器１２１が起動すると）、テレビジョン放送受信装置１１１は、外部接続機器１２１の起動を検出し、必要となる処理を自動的に実行する。つまり、ユーザが操作をしなくても、テレビジョン放送受信装置１１１は、電源オン／入力切換／画質調整／音量調整／視聴中番組の記録などの動作を自動的に実行する。
【００９１】
また、テレビジョン放送受信装置１１１は、外部接続機器１２１の停止を検出することができ、停止検出に応じた動作を制御することができる。例えば、ユーザが外部接続機器１２１にによるゲーム等を終了すると（外部接続機器１２１が停止すると）、テレビジョン放送受信装置１１１は、外部接続機器１２１の停止を検出し、必要となる処理を自動的に実行する。つまり、ユーザが操作をしなくても、テレビジョン放送受信装置１１１は、電源オフ／選局・入力切換／画質調整／音量調整／外部装置の起動前に視聴していた番組の再生などの動作を自動的に実行する。
【００９２】
（２）テレビジョン放送受信装置１１１が、ＨＤＭＩのＣＥＣ通信を利用できない場合でも、コンポジットやコンポーネント信号の検出により、上記制御を実現することができる。
【００９３】
（３）テレビジョン放送受信装置１１１の受光モジュール１１８が、外部接続機器１２１のリモートコントローラ１２１ａからの信号を受光する場合には、テレビジョン放送受信装置１１１は、起動検出、停止検出のための新たな構成を備えなくてもよい。
【００９４】
（第７の実施形態）
テレビジョン放送受信装置１１１に設けられたセンサーバー２６８による信号検出を利用した外部接続機器１２１、１２２の起動又は停止状態の検出について説明する。
【００９５】
例えば、テレビジョン放送受信装置１１１は、センサーバー２６８を備える（図５参照）。また、テレビジョン放送受信装置１１１は、予め、外部接続機器１２１を監視対象として登録し、外部接続機器１２１と外部入出力インターフェース２６２との対応も登録する。
【００９６】
例えば、ユーザが、リモートコントローラ１２１ａ等を介して外部接続機器１２１に対して起動（電源オン）を指示すると、外部接続機器１２１は起動し、外部接続機器１２１はセンサーバー制御線Ｃ３を介してセンサーバー２６８に対して信号（例えば赤外線信号）の発信を指示する発信制御信号を送信する。これに対応して、センサーバー２６８は信号を発信する。テレビジョン放送受信装置１１１の状態検出モジュール２６１ｅは、センサーバー制御線Ｃ３からの発信制御信号を検出し、登録された外部接続機器１２１の起動を検出する。制御モジュール２６１は、起動検出に応じて、登録された外部入出力インターフェース２６２を選択し、第１の実施形態で説明したように、各種動作を制御する。
【００９７】
また、ユーザが、リモートコントローラ１２１ａ等を介して外部接続機器１２１に対して停止（電源オフ）を指示すると、外部接続機器１２１は停止し、外部接続機器１２１はセンサーバー制御線Ｃ３を介してセンサーバー２６８に対して信号（例えば赤外線信号）の停止を指示する停止制御信号を送信する。これに対応して、センサーバー２６８は信号の発信を停止する。テレビジョン放送受信装置１１１の状態検出モジュール２６１ｅは、センサーバー制御線Ｃ３からの停止制御信号を検出し、登録された外部接続機器１２１の停止を検出する。制御モジュール２６１は、停止検出に応じて、第１の実施形態で説明したように、各種動作を制御する。
【００９８】
また、テレビジョン放送受信装置１１１が、センサーバー２６８を備える場合、テレビジョン放送受信装置１１１のディスプレイ１１４のサイズ（インチ数）毎に、最適な位置にセンサーバー２６８の赤外線発光部２６８ａ、２６８ｂを配置することができる。
【００９９】
例えば、図６に示すように、大型のテレビジョン放送受信装置３００又は小型のテレビジョン放送受信装置３００’の上部又は下部等にセンサーバー１２１ｃを配置した場合、センサーバー１２１ｃの両端に設けられた赤外線発光部１２１ｃ１、１２１ｃ２は、一定の間隔となる。このため、テレビジョン放送受信装置３００のディスプレイ（大型）又はテレビジョン放送受信装置３００’のディスプレイ（小型）を目安にしたリモートコントローラ３０１の移動操作（ポインター操作）の操作感は、ディスプレイのサイズ（インチ数）毎に変わってしまう。
【０１００】
これに対して、図７に示すように、大型のテレビジョン放送受信装置１１１又は小型のテレビジョン放送受信装置１１１’がセンサーバー２６８を備える場合、センサーバー２６８の赤外線発光部２６８ａ、２６８ｂをディスプレイ１１４のサイズ（インチ数）毎に最適な位置に配置することができる。これにより、テレビジョン放送受信装置１１１のディスプレイ（大型）１１４又はテレビジョン放送受信装置１１１’のディスプレイ（小型）１１４を目安にしたリモートコントローラ１２１ａの移動操作（ポインター操作）の操作感が、ディスプレイのサイズ（インチ数）毎に変わってしまうのを防止できる。
【０１０１】
本実施形態により、以下の作用効果が得られる。
【０１０２】
（１）テレビジョン放送受信装置１１１は、外部接続機器１２１の起動を検出することができ、起動検出に応じた動作を制御することができる。例えば、ユーザが外部接続機器１２１によりゲーム等を始めると（外部接続機器１２１が起動すると）、テレビジョン放送受信装置１１１は、外部接続機器１２１の起動を検出し、必要となる処理を自動的に実行する。つまり、ユーザが操作をしなくても、テレビジョン放送受信装置１１１は、電源オン／入力切換／画質調整／音量調整／視聴中番組の記録などの動作を自動的に実行する。
【０１０３】
また、テレビジョン放送受信装置１１１は、外部接続機器１２１の停止を検出することができ、停止検出に応じた動作を制御することができる。例えば、ユーザが外部接続機器１２１にによるゲーム等を終了すると（外部接続機器１２１が停止すると）、テレビジョン放送受信装置１１１は、外部接続機器１２１の停止を検出し、必要となる処理を自動的に実行する。つまり、ユーザが操作をしなくても、テレビジョン放送受信装置１１１は、電源オフ／選局・入力切換／画質調整／音量調整／外部装置の起動前に視聴していた番組の再生などの動作を自動的に実行する。
【０１０４】
（２）テレビジョン放送受信装置１１１が、ＨＤＭＩのＣＥＣ通信を利用できない場合でも、コンポジットやコンポーネント信号の検出により、上記制御を実現することができる。
【０１０５】
（３）テレビジョン放送受信装置１１１は、センサーバー制御線Ｃ３からの信号に基づき、外部接続機器１２１の起動及び停止を検出するため、検出精度が高い。
【０１０６】
（４）テレビジョン放送受信装置１１１のディスプレイ１１４のサイズ（インチ数）毎に、リモートコントローラ１２１ａの移動操作（ポインター操作）の操作感が、変わってしまうのを防止できる。
【０１０７】
以上説明した第１〜第７の実施形態によれば、図２に示すように、ユーザがリモートコントローラ１２１ａで外部接続機器１２１を操作し、また、ユーザがリモートコントローラ３０１でテレビジョン放送受信装置３００を操作しなければならないような不便な状態を解消することができる。
【０１０８】
以下、第１〜第７の実施形態についてまとめる。
【０１０９】
（１）テレビジョン放送受信装置１１１は、ゲーム機等の外部接続機器１２１の起動を検出したら、起動する（電源オン）。
【０１１０】
（２）テレビジョン放送受信装置１１１は、ゲーム機等の外部接続機器１２１の起動を検出したら、外部接続機器１２１が接続されている外部入出力インターフェース２６２を選択し、外部入出力インターフェース２６２からの信号を入力するように入力切換を実行する。
【０１１１】
（３）テレビジョン放送受信装置１１１は、ゲーム機等の外部接続機器１２１の起動を検出したら、現在の画質を外部接続機器１２１からの映像信号に応じた画質（超低遅延接続など）へ変更する。
【０１１２】
（４）テレビジョン放送受信装置１１１は、ゲーム機等の外部接続機器１２１の起動を検出したら、外部接続機器１２１が接続されている外部入出力インターフェース２６２を選択し、外部入出力インターフェース２６２からの信号を入力するように入力切換を実行し、入力切換実行前に視聴していた番組の記録を開始する。
【０１１３】
（５）テレビジョン放送受信装置１１１は、ゲーム機等の外部接続機器１２１の停止を検出したら、停止する（電源オフ）。
【０１１４】
（６）テレビジョン放送受信装置１１１は、ゲーム機等の外部接続機器１２１の停止を検出したら、外部接続機器１２１の起動検出前に選択されていたラストチャンネルに対応する信号を出力（表示）する。
【０１１５】
（７）テレビジョン放送受信装置１１１は、ゲーム機等の外部接続機器１２１の停止を検出したら、外部接続機器１２１からの映像信号に応じた画質（超低遅延接続など）を、外部接続機器１２１の起動検出前の画質へ戻す。
【０１１６】
（８）テレビジョン放送受信装置１１１は、ゲーム機等の外部接続機器１２１の停止を検出したら、外部接続機器１２１の起動検出前に選択されていたラストチャンネルの記録番組の再生を開始する。
【０１１７】
（９）テレビジョン放送受信装置１１１は、ＨＤＭＩのＣＥＣ通信等により、ゲーム機等の外部接続機器１２１の起動及び停止を検出し、起動検出に応じた適切な動作（上記（１）〜（４））の実行を制御し、また、停止検出に応じた適切な動作（上記（５）〜（８））の実行を制御する。
【０１１８】
（１０）テレビジョン放送受信装置１１１は、外部入出力インターフェース２６２からの信号を検出し（信号の有無の変化を検出し）、これにより、ゲーム機等の外部接続機器１２１の起動及び停止を検出し、起動検出に応じた適切な動作（上記（１）〜（４））の実行を制御し、また、停止検出に応じた適切な動作（上記（５）〜（８））の実行を制御する。
【０１１９】
（１１）テレビジョン放送受信装置１１１は、外部接続機器１２１のＬＥＤ等の表示器の変化を検出し、これにより、ゲーム機等の外部接続機器１２１の起動及び停止を検出し、起動検出に応じた適切な動作（上記（１）〜（４））の実行を制御し、また、停止検出に応じた適切な動作（上記（５）〜（８））の実行を制御する。
【０１２０】
（１２）テレビジョン放送受信装置１１１は、外部接続機器１２１の電力消費量の変化を検出し、これにより、ゲーム機等の外部接続機器１２１の起動及び停止を検出し、起動検出に応じた適切な動作（上記（１）〜（４））の実行を制御し、また、停止検出に応じた適切な動作（上記（５）〜（８））の実行を制御する。
【０１２１】
（１３）テレビジョン放送受信装置１１１は、外部接続機器１２１のリモートコントローラ１２１ａからの信号（赤外線信号又は無線信号）を検出し、これにより、ゲーム機等の外部接続機器１２１の起動及び停止を検出し、起動検出に応じた適切な動作（上記（１）〜（４））の実行を制御し、また、停止検出に応じた適切な動作（上記（５）〜（８））の実行を制御する。
【０１２２】
（１４）テレビジョン放送受信装置１１１は、外部接続機器１２１のセンサーバー１２１ｃからの信号（赤外線信号）を検出し、これにより、ゲーム機等の外部接続機器１２１の起動及び停止を検出し、起動検出に応じた適切な動作（上記（１）〜（４））の実行を制御し、また、停止検出に応じた適切な動作（上記（５）〜（８））の実行を制御する。
【０１２３】
（１５）テレビジョン放送受信装置１１１は、外部接続機器１２１のセンサーバー１２１ｃに対する制御信号を検出し、これにより、ゲーム機等の外部接続機器１２１の起動及び停止を検出し、起動検出に応じた適切な動作（上記（１）〜（４））の実行を制御し、また、停止検出に応じた適切な動作（上記（５）〜（８））の実行を制御する。
【０１２４】
（１６）テレビジョン放送受信装置１１１は、ディスプレイ１１４のサイズ（インチ数）に応じたセンサーバー２６８を備え、これにより、リモートコントローラ１２１ａの操作性の向上を図ることができる。
【０１２５】
なお、上記したモジュールとは、ハードウェアで実現するものであっても良いし、ＣＰＵ等を使ってソフトウェアで実現するものであってもよい。
【０１２６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２７】
１１１…テレビジョン放送受信装置、１１４…ディスプレイ、１１７…リモートコントローラ、１１８…受光モジュール、２６１…制御モジュール
【図１】
2013016916.tif 000003
【図２】
2013016916.tif 000004
【図３】
2013016916.tif 000005
【図４】
2013016916.tif 000006
【図５】
2013016916.tif 000007
【図６】
2013016916.tif 000008
【図７】
2013016916.tif 000009
【図８】
2013016916.tif 000010
【図９】
2013016916.tif 000011